(57)【要約】【課題】浴室用テレビの外部にデジタル放送用チューナー等を接続する場合に、浴室用テレビの選局切換手段でデジタル放送の選局を切換えられるようにすることを目的とする。【解決手段】浴室に設置するテレビ１またはテレビを内蔵した給湯機用浴室リモコンにおいて、アンテナ線を接続するＶＨＦ／ＵＨＦ接続用端子２とアナログ放送用チューナー３とチャンネルスイッチ等の選局切換手段４とを備え、前記選局切換手段４によって指示されている選局状態を浴室用テレビ外部へ伝える選局指示信号送出手段７を備えた構成としているので、選局状態をデジタル放送用チューナーへ伝えることができ、浴室用テレビの選局切換手段でデジタル放送の選局を切換えられる。【選択図】図１
2005229495.tif 000002
【特許請求の範囲】
【請求項１】
浴室に設置するテレビまたはテレビを内蔵した給湯機用浴室リモコンにおいて、アンテナ線を接続するＶＨＦ／ＵＨＦ接続用端子２とアナログ放送用チューナー３とチャンネルスイッチ等の選局切換手段４とを備え、前記選局切換手段４によって指示されている選局状態を浴室用テレビ外部へ伝える選局指示信号送出手段７を備えた浴室用テレビ等の制御装置。
【請求項２】
前記選局切換手段４によってなされた選局指示をアナログ放送用チューナー３へそのまま伝える場合と、アナログ放送用チューナー３へは固定の選局指示を伝え、選局切換手段４によってなされた選局指示を選局指示信号送出手段７を介してテレビ外部へ送出する場合とを選択できるようにした請求項１に記載の浴室用テレビ等の制御装置。
【請求項３】
前記選局指示信号送出手段７より送出される信号を赤外線発光方式のＰＰＭ変調した光信号に変換するようにした請求項１または請求項２に記載の浴室用テレビ等の制御装置。
【発明の詳細な説明】
【技術分野】
【０００１】
本発明は、浴室に設置するテレビ等に関するもので、特に、アナログ放送が廃止された場合の選局手段に関するものである。
【背景技術】
【０００２】
従来、この種の浴室に設置するテレビには、アナログ放送（ＶＨＦ／ＵＨＦ）を受信することを目的とした比較的小型のものが使用されている。
【０００３】
図３は、従来の浴室用テレビの構成を示すもので、アンテナで受信した信号をアンテナ線を介してアンテナ接続用端子２からアナログ放送用チューナー３へ伝え、チャンネルスイッチ等の選局切換手段４からの選局指示に基づいてアナログ放送用チューナー３で選択された信号を画像および音声に復調してテレビ本体１の画面（液晶パネルやＣＲＴ）およびスピーカーへ出力するものである。
【０００４】
一般のテレビにおいては、種々の規格の映像信号を入力する端子（Ｄ端子、Ｓ端子、ビデオ端子等）が設けられたものがあるが、浴室用テレビでは、防滴性が要求され、かつ、比較的小型のテレビが使用されるので、アンテナ接続用端子のみの構成がとられている。
【０００５】
浴室用テレビに画像や音声の信号を伝える方式としては、微弱電波の送受信機を用いたもの（例えば、特許文献１参照）や給湯機のリモコン配線を用いたもの（例えば、特許文献２参照）が提案されているが、価格的な課題もあって実用には至っていない。
【０００６】
一方、アナログ放送は、現在、デジタル放送への置き換えが進められており、２０１１年には、アナログ放送が廃止されようとしている。
【０００７】
浴室用テレビについては、浴室に組み込まれて設置される場合が多く、今後、デジタル放送用チューナーを搭載した浴室用テレビが市販されても、交換するには工事が必要で手間がかかる。
【０００８】
そこで、アナログ放送用の浴室テレビをそのまま利用して、デジタル放送を受信できるようにした構成を図４に示す。アンテナで受信した信号をデジタル放送用チューナーに伝え、デジタル放送用チューナーからの出力（ビデオ信号）をＲＦコンバータを介して、浴室用テレビのアンテナ接続用端子２に接続している。この構成によれば、浴室用テレビをそのまま利用してデジタル放送を見ることができる。
【特許文献１】特開２００１−２３０７１６号公報
【特許文献２】特開平１１−１５９８６１号公報
【発明の開示】
【発明が解決しようとする課題】
【０００９】
しかしながら、前記従来の構成では、デジタル放送用チューナーで選局するので、浴室用テレビのチャンネルスイッチ等の選局切換手段４を操作しても選局を切換えることができないという課題を有していた。
【００１０】
本発明は、前記従来の課題を解決するもので、操作性を損なうことなくデジタル放送用チューナーを接続でき、将来、アナログ放送が廃止された際にも、使い勝手のよい浴室用テレビを提供することを目的とする。
【課題を解決するための手段】
【００１１】
前記従来の課題を解決するために、本発明の浴室用テレビ等の制御装置は、選局切換手段４によって指示されている選局状態を浴室用テレビ外部へ伝える選局指示信号送出手段７を備えている。
【００１２】
これによって、浴室用テレビの外部にデジタル放送用チューナーを接続する場合に選局切換手段４によって指示されている選局状態をデジタル放送用チューナーに伝えることができ、浴室用テレビのチャンネルスイッチ等の選局切換手段４を操作することでデジタル放送の選局が可能になる。
【発明の効果】
【００１３】
本発明の浴室用テレビ等の制御装置は、アナログ放送からデジタル放送への切換えの際に、操作性を損なうことなく、かつ容易にデジタル放送用チューナーを接続することができる。
【発明を実施するための最良の形態】
【００１４】
第１の発明は、浴室に設置するテレビまたはテレビを内蔵した給湯機用浴室リモコンにおいて、アンテナ線を接続するＶＨＦ／ＵＨＦ接続用端子２とアナログ放送用チューナー３とチャンネルスイッチ等の選局切換手段４とを備え、前記選局切換手段４によって指示されている選局状態を浴室用テレビ外部へ伝える選局指示信号送出手段７を備えていることにより、浴室用テレビの外部にデジタル放送用チューナーを接続する場合に選局切換手段４によって指示されている選局状態をデジタル放送用チューナーに伝えることができ、浴室用テレビのチャンネルスイッチ等の選局切換手段４を操作することでデジタル放送の選局をすることができる。
【００１５】
第２の発明は、特に、第１の発明の選局指示信号送出手段７に切換機能を持たせ、選局切換手段４によってなされた選局指示をアナログ放送用チューナー３へそのまま伝える場合と、アナログ放送用チューナー３へは固定の選局指示を伝え、選局切換手段４によってなされた選局指示をテレビ外部へ送出する場合とを切換えられるようにしたもので、アナログ放送を受信している間は、前記選局切換手段４によってなされた選局指示をアナログ放送用チューナー３へそのまま伝え、アナログ放送が廃止された際に、デジタル放送用チューナーを外部接続したときにはアナログ放送用チューナー３へは固定の選局指示を伝え、選局切換手段４によってなされた選局指示を選局指示信号送出手段７を介してデジタル放送用チューナーへ伝える構成が容易に実現できる。
【００１６】
第３の発明は、特に、第１または第２の発明の選局指示信号送出手段７より送出される信号を赤外線発光方式のＰＰＭ変調した光信号に変換するようにしたことにより、市販のデジタル放送用チューナーに、通常装備されている赤外線リモコンの受光部を利用して、浴室用テレビの選局切換手段４によってなされた選局指示をデジタル放送用チューナーに容易に伝えることができる。
【００１７】
以下、本発明の実施の形態について、図面を参照しながら説明する。なお、この実施の形態によって本発明が限定されるものではない。
【００１８】
（実施の形態１）
図１は、本発明の第１の実施の形態における浴室用テレビ等の制御装置のブロック図を示すものである。
【００１９】
図１において、浴室テレビ本体１の内部にアンテナ線を接続するＶＨＦ／ＵＨＦ接続用端子２とアナログ放送用チューナー３とチャンネルスイッチ等の選局切換手段４とを備え更に、選局切換手段４によって指示されている選局状態を浴室用テレビ外部へ伝える選局指示信号送出手段７を設けている。また、各構成ブロック間の信号の流れを矢印にて表している。ＶＨＦ／ＵＨＦ接続用端子２は、端子と記しているが、コネクタであっても、ケーブル線で引き出したものでもよい。
【００２０】
以上のように構成された浴室用テレビ等の制御装置について、以下その動作、作用を説明する。
【００２１】
まず、ＶＨＦ／ＵＨＦ接続用端子２に入力する信号は、アナログ放送受信時にはアンテナで受信した信号であり、デジタル放送受信時には図１に示したようにデジタル放送用チューナー５の出力をＲＦコンバータ６で変換した信号になる。ＶＨＦ／ＵＨＦ接続用端子２に入力された信号はアナログ放送用チューナー３へ伝えられる。チャンネルスイッチ等の選局切換手段４からの選局指示は、選局指示信号送出手段７に伝えられ、選局状態が浴室用テレビから外部へ伝達される。選局指示信号送出手段７は、選局状態を浴室用テレビ外部へ伝達すると伴にアナログ放送用チューナー３へも選局指示を伝える。この選局指示に基づいてアナログ放送用チューナー３で選択された信号を画像および音声に復調してテレビ本体１の画面（液晶パネルやＣＲＴ）およびスピーカーへ出力する。
【００２２】
アナログ放送受信時には、選局切換手段４からの選局指示が選局指示信号送出手段７を介してそのままアナログ放送用チューナー３へ伝えられる。
【００２３】
デジタル放送受信時には、選局切換手段４からの選局指示が選局指示信号送出手段７を介して浴室テレビの外部に設置したデジタル放送用チューナー５に伝えられる。この選局指示に基づいてデジタル放送用チューナー５は選局、復調処理を行い、映像と音声の信号を出力する。デジタル放送用チューナー５の出力はＲＦコンバータ６を介してＶＨＦ／ＵＨＦ接続用端子２に入力され、アナログ放送用チューナー３へ伝えられる。このＲＦコンバータ６からの信号は特定の局の周波数になるので、選局指示信号送出手段７はこの特定の局の選局指示をアナログ放送用チューナー３へ伝える。
【００２４】
以上のように、本実施の形態においては、選局切換手段４によって指示されている選局状態を浴室用テレビ外部へ伝える選局指示信号送出手段７を備えているので、アナログ放送が廃止されデジタル放送へ切換わった場合にも、浴室用テレビの選局切換手段４によって選局することができ、操作性を損なうことがない。
【００２５】
また、本実施の形態では、選局指示信号送出手段７において、アナログ放送受信時とデジタル放送受信時とでアナログ放送用チューナー３へ伝える選局指示を切換えるようにしているので、デジタル放送へ切換わった場合にも、浴室用テレビ自体はそのまま使用することができる。
【００２６】
（実施の形態２）
図２は、本発明の第２の実施の形態の浴室用テレビ等の制御装置のブロック図を示すものである。
【００２７】
図２において、浴室テレビ本体１の内部にアンテナ線を接続するＶＨＦ／ＵＨＦ接続用端子２とアナログ放送用チューナー３とチャンネルスイッチ等の選局切換手段４とを備え更に、選局切換手段４によって指示されている選局状態を浴室用テレビ外部へ伝える選局指示信号送出手段７を設けている。また、前記選局指示信号送出手段７から伝えられた選局状態を赤外線発光方式のＰＰＭ変調した光信号に変換するＰＰＭ変調赤外線発光手段８を設けている。各構成ブロック間の信号の流れは、矢印にて表している。
【００２８】
以上のように構成された浴室用テレビ等の制御装置について、以下その動作、作用を説明する。
【００２９】
まず、ＶＨＦ／ＵＨＦ接続用端子２に入力する信号は、アナログ放送受信時にはアンテナで受信した信号であり、デジタル放送受信時には図２に示したようにデジタル放送用チューナー５の出力をＲＦコンバータ６で変換した信号になる。ＶＨＦ／ＵＨＦ接続用端子２に入力された信号はアナログ放送用チューナー３へ伝えられる。
【００３０】
チャンネルスイッチ等の選局切換手段４からの選局指示は、選局指示信号送出手段７に伝えられ、選局状態が浴室用テレビから外部へ伝達される。選局指示信号送出手段７は、選局状態を浴室用テレビ外部へ伝達すると伴にアナログ放送用チューナー３へも選局指示を伝える。この選局指示に基づいてアナログ放送用チューナー３で選択された信号を画像および音声に復調してテレビ本体１の画面（液晶パネルやＣＲＴ）およびスピーカーへ出力する。
【００３１】
アナログ放送受信時には、選局切換手段４からの選局指示が選局指示信号送出手段７を介してそのままアナログ放送用チューナー３へ伝えられる。
【００３２】
デジタル放送受信時には、選局切換手段４からの選局指示が選局指示信号送出手段７およびＰＰＭ変調赤外線発光手段８を介して浴室テレビの外部に設置したデジタル放送用チューナー５に伝えられる。この選局指示に基づいてデジタル放送用チューナー５は選局、復調処理を行い、映像と音声の信号を出力する。デジタル放送用チューナー５の出力はＲＦコンバータ６を介してＶＨＦ／ＵＨＦ接続用端子２に入力され、アナログ放送用チューナー３へ伝えられる。このＲＦコンバータ６からの信号は特定の局の周波数になるので、選局指示信号送出手段７はこの特定の局の選局指示をアナログ放送用チューナー３へ伝える。
【００３３】
以上のように、本実施の形態においては、選局切換手段４からの選局指示が選局指示信号送出手段７およびＰＰＭ変調赤外線発光手段８を介して浴室テレビの外部に設置したデジタル放送用チューナー５に伝えられるようにしている。市販のデジタル放送用チューナーには、通常、赤外線リモコンの受光部が装備されてので、容易に選局切換手段４からの選局指示をデジタル放送用チューナー５へ伝えることができる。
【００３４】
浴室テレビの選局指示信号送出手段７からの選局指示を受信する回路を備えた専用のデジタル放送用チューナーを必要とせず、市販のデジタル放送用チューナーを利用できる。
【００３５】
赤外線リモコンのチャンネル切換えのコードは、家製協フォーマットに従って各メーカーが決めているので、浴室テレビの選局指示信号送出手段７からの選局指示を赤外線リモコンのチャンネル切換えのコードに合った光信号に変換するのは容易である。
【００３６】
また、本実施の形態では、ＰＰＭ変調赤外線発光手段８を浴室用テレビの外部に取付けた形態にしているが、ＰＰＭ変調赤外線発光手段８を浴室用テレビの内部に取付けて、ＰＰＭ変調赤外線発光手段８からの光信号を光ファイバー等でデジタル放送用チューナーの赤外線リモコン受光部まで導く形態も実施可能である。
【産業上の利用可能性】
【００３７】
以上のように、本発明にかかる浴室テレビ等の制御装置は、アナログ放送からデジタル放送への切換えの際に、操作性を損なうことなく、かつ容易にデジタル放送用チューナーを接続することができるので、テレビを内蔵した給湯機用リモコン等の用途にも適用できる。
【図面の簡単な説明】
【００３８】
【図１】本発明の実施の形態１における浴室用テレビの制御装置のブロック図
【図２】本発明の実施の形態２における浴室用テレビの制御装置のブロック図
【図３】従来の浴室用テレビのブロック図
【図４】従来の浴室用テレビでデジタル放送を受信するときのブロック図
【符号の説明】
【００３９】
１  浴室用テレビ本体
２  アンテナ接続用（ＶＨＦ／ＵＨＦ）端子
３  アナログ放送用チューナー
４  選局切換手段
５  デジタル放送用チューナー
６  ＲＦコンバータ
７  選局指示信号送出手段
８  ＰＰＭ変調赤外線発光手段
【図１】
2005229495.tif 000003
【図２】
2005229495.tif 000004
【図３】
2005229495.tif 000005
【図４】
2005229495.tif 000006